(57)【要約】【課題】  掘削底面に仮底盤や耐圧底盤を施工する際に、掘削底面や仮底盤がドライ状態とされ得て、施工作業を容易に行うことが可能な地下構造体の施工方法を提供する。【解決手段】  地下構造体の施工に際して、地盤１０の掘削に先行して、または掘削と並行して、地中に土留壁２０を施工し、地盤１０の掘削後に、掘削底面１１に集水桝３１とこの集水桝３１に水を導く透水管３２を敷設し、その後に集水桝３１を除いて掘削底面１１に透水管３２を埋めるべく仮底盤４０を施工し、その後に集水桝３１の貯水部３１ａを除く上面と仮底盤４０の上面に耐圧底盤５０を施工する。【選択図】    図３
2006328894.tif 000002
【特許請求の範囲】
【請求項１】
地盤の掘削に先行して、または掘削と並行して、地中に土留壁を施工し、地盤の掘削後に、掘削底面に集水桝とこの集水桝に水を導く透水管を敷設し、その後に前記集水桝を除いて掘削底面に前記透水管を埋めるべく仮底盤を施工し、その後に前記集水桝の貯水部を除く上面と前記仮底盤の上面に耐圧底盤を施工することを特徴とする地下構造体の施工方法。
【請求項２】
請求項１に記載の地下構造体の施工方法において、前記土留壁はソイルセメント壁であることを特徴とする地下構造体の施工方法。
【請求項３】
請求項１または２に記載の地下構造体の施工方法において、前記集水桝と前記耐圧底盤には地下水を遮断する止水処理が施されていることを特徴とする地下構造体の施工方法。
【発明の詳細な説明】
【技術分野】
【０００１】
本発明は、地下構造体の施工方法、例えば、小規模な地下室の構築に際して実施される地下構造体の施工方法に関する。
【背景技術】
【０００２】
この種の地下構造体の施工方法は、例えば、下記特許文献１に示されている。この特許文献１に記載されている地下構造体の施工方法では、地盤の掘削に先行して、または掘削と並行して、地中に土留壁（特許文献１では「山止め」と記載されている）を施工し、地盤の掘削後に、掘削底面に底盤（特許文献１では「底版コンクリート」と記載されている）を施工するようになっている。
【特許文献１】特開平１０−１５９１１１号公報
【０００３】
上記した特許文献１に記載されている地下構造体の施工方法においては、地盤の掘削後から掘削底面に底盤を施工するまでの間に、地下水に対する防水対策がなされていない。このため、地盤の掘削後から掘削底面に底盤を施工するまでの間に、地下水が掘削底面に染み出して、掘削底面がウエット状態となる場合があり、掘削底面への底盤の施工を阻害するおそれがある。
【発明の開示】
【０００４】
本発明は、上記した課題に対処すべくなされた地下構造体の施工方法であり、地盤の掘削に先行して、または掘削と並行して、地中に土留壁を施工し、地盤の掘削後に、掘削底面に集水桝とこの集水桝に水を導く透水管を敷設し、その後に前記集水桝を除いて掘削底面に前記透水管を埋めるべく仮底盤（例えば、砕石層とコンクリート層からなるもの）を施工し、その後に前記集水桝の貯水部を除く上面と前記仮底盤の上面に耐圧底盤（例えば、耐圧防水の鉄筋コンクリートからなるもの）を施工することに特徴がある。
【０００５】
本発明による地下構造体の施工方法を実施した場合には、地盤の掘削後に、掘削底面に集水桝とこの集水桝に水を導く透水管が敷設されるため、地盤の掘削後において地下水が掘削底面に染み出しても、その水は透水管を通して集水桝に導かれる。したがって、掘削底面に仮底盤や耐圧底盤を施工する際には、掘削底面や仮底盤がドライ状態とされていて施工作業を容易に行うことが可能であり、その際の作業性を向上させることが可能である。
【０００６】
また、本発明の実施に際して、前記土留壁がソイルセメント壁であることも可能である。この場合には、土留壁がＨ形鋼を使用した複数の支柱間に木板その他のパネルを建て込んで施工したものである場合に比して、土留壁の施工を容易に行うことが可能であり、土留壁の施工に要する施工時間、施工コストの低減を図ることが可能である。
【０００７】
また、本発明の実施に際して、前記集水桝と前記耐圧底盤には地下水を遮断する止水処理が施されていることも可能である。この場合には、地下構造体の構築後の使用に際しても、集水桝、耐圧底盤などを通して地下構造体内への水の浸入を防ぐことが可能であり、快適な空間を提供することが可能である。
【発明を実施するための最良の形態】
【０００８】
以下に、本発明の一実施形態を図面に基づいて説明する。図１および図２は、本発明による地下構造体の施工方法において、掘削底面１１に集水桝３１と４本の透水管３２を敷設した状態を示しており、この敷設状態に至るまでには、地盤１０の掘削に先行して、地中に土留壁２０が施工されている。
【０００９】
また、上記したように集水桝３１と透水管３２が敷設された後には、図３に示したように、集水桝３１を除いて掘削底面１１に各透水管３２を埋めるべく仮底盤４０が施工され、その後に集水桝３１の貯水部３１ａを除く上面と仮底盤４０の上面に耐圧底盤５０が施工されている。なお、耐圧底盤５０の施工に際して、集水桝３１の上面と耐圧底盤５０の下面間には止水板（図示省略）が挟まれていて、集水桝３１の上面と耐圧底盤５０の下面間を通して地下構造体内に水が侵入しないようになっている。
【００１０】
土留壁２０は、公知の掘削混練機を用いて掘削土とセメントミルクを混練することで地表面ＧＬから地中に構築されてＨ形鋼２２によって補強されたソイルセメント壁２１である。なお、ソイルセメント壁２１は、地盤１０が公知の掘削機により掘削される際に、一部（内壁部）が削り取られてＨ形鋼２２の一部が露呈するようになっている。
【００１１】
集水桝３１は、図４および図５にて詳細に示したように、貯水部３１ａを有するとともに、この貯水部３１ａに連通する４個の連通孔３１ｂを有していて、周壁３１ｃの外周面と底壁３１ｄの底面には防水膜３１ｅが被覆されて止水処理が施されている。この集水桝３１は、各連通孔３１ｂの下端が掘削底面１１より僅かに下方となるようにして、掘削底面１１に敷設されている。各透水管３２は、集水桝３１に水を導くためのものであり、一端部にて集水桝３１の連通孔３１ｂに接続されており、集水桝３１に向けて順次下降傾斜する状態（内部に入った水が集水桝３１に流れる状態）で、下部が掘削底面１１に接するように配置されている。
【００１２】
仮底盤４０は、図３に示したように、各透水管３２が埋まるように砕石を敷き詰めてなる砕石層４１と、この砕石層４１上の施したコンクリート層（ステコンともよばれるもの）４２からなり、コンクリート層４２の上面と集水桝３１の上面が略面一となるように各層の厚さが設定されている。耐圧底盤５０は、耐圧防水の鉄筋コンクリートであり、地下水を遮断する止水処理が施されている。
【００１３】
上記した地下構造体の施工方法においては、地盤１０の掘削後に、掘削底面１１に集水桝３１とこの集水桝３１に水を導く透水管３２が敷設されるため、地盤１０の掘削後において地下水が掘削底面１１に染み出しても、その水は透水管３２を通して集水桝３１に導かれる。したがって、掘削底面１１に仮底盤４０や耐圧底盤５０を施工する際には、掘削底面１１や仮底盤４０がドライ状態とされていて施工作業を容易に行うことが可能であり、その際の作業性を向上させることが可能である。なお、集水桝３１に導かれた水は、例えば、排水ポンプにより適宜に排水することが可能である。
【００１４】
また、上記した地下構造体の施工方法においては、土留壁２０がＨ形鋼２２によって補強されたソイルセメント壁２２である。このため、土留壁がＨ形鋼を使用した複数の支柱間に木板その他のパネルを建て込んで施工したものである場合に比して、土留壁２０の施工を容易に行うことが可能であり、土留壁２０の施工に要する施工時間、施工コストの低減を図ることが可能である。
【００１５】
また、上記した地下構造体の施工方法においては、集水桝３１と耐圧底盤５０に地下水を遮断する止水処理が施されている。このため、地下構造体の構築後の使用に際しても、集水桝３１、耐圧底盤５０などを通して地下構造体内への水の浸入を防ぐことが可能であり、快適な空間を提供することが可能である。なお、地下構造体の構築後の使用に際して、集水桝３１の各連通孔３１ｂに止水栓（図示省略）を埋め込んで、貯水部３１ａに水が導入されないようにすることも可能である。
【００１６】
上記した実施形態においては、土留壁２０として、Ｈ形鋼２２によって補強されたソイルセメント壁２２を用いた例について説明したが、この土留壁としては、種々な構造のものが採用可能であり、上記実施形態に限定されるものではない。また、上記した実施形態においては、正方形の集水桝３１を用いて実施したが、集水桝３１の形状は適宜変更可能であり、例えば、長方形や丸形であってもよく、上記実施形態に限定されるものではない。また、上記した実施形態においては、４本の透水管３２を用いて実施したが、透水管の数や形状などは適宜変更可能であり、上記実施形態に限定されるものではない。また、上記した実施形態においては、土留壁２０に地下水を遮断する止水処理を施さずに実施したが、例えば、土留壁２０の構築時または耐圧底盤５０の構築後に、土留壁２０に地下水を遮断する止水処理を施して実施することも可能である。
【図面の簡単な説明】
【００１７】
【図１】本発明による地下構造体の施工方法において、掘削底面に集水桝と透水管を敷設した状態を示す縦断正面図である。
【図２】図１に示した状態の平面図である。
【図３】本発明による地下構造体の施工方法によって地下構造体を構築し終えた状態の部分縦断正面図である。
【図４】図１〜図３に示した集水桝の拡大平面図である。
【図５】図４の５−５線に沿った断面図である。
【符号の説明】
【００１８】
１０…地盤、１１…掘削底面、２０…土留壁、２１…ソイルセメント壁、２２…Ｈ形鋼、３１…集水桝、３１ａ…貯水部、３１ｂ……連通孔、３１ｃ…周壁、３１ｄ…底壁、３１ｅ…防水膜、３２…透水管、４０…仮底盤、４１…砕石層、４２…コンクリート層、５０…耐圧底盤
【図１】
2006328894.tif 000003
【図２】
2006328894.tif 000004
【図３】
2006328894.tif 000005
【図４】
2006328894.tif 000006
【図５】
2006328894.tif 000007